Podtech/llm-jp-corpus-v4-ja_patent huggingface dataset:
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
ワイヤレス通信システムを動作させる方法であって、
マクロセルサイトにおいてトランスミッタにより、前記マクロセルサイトからのワイヤレスバックホールリンクを通じて、第１の送信時間インタバルを有する第１のデータフレームにより、第１のワイヤレストランシーバと通信することと、
前記マクロセルサイトにおいて前記トランスミッタにより、前記マクロセルサイトからの前記ワイヤレスバックホールリンクを通じて、前記第１の送信時間インタバルとは異なる第２の送信時間インタバルを有する第２のデータフレームにより、第２のワイヤレストランシーバと通信することと、
を含む、方法。
【請求項２】
請求項１に記載の方法であって、
前記第１のデータフレームと前記第２のデータフレームとの間でデータを送信することを更に含む、方法。
【請求項３】
請求項１に記載の方法であって、
前記第２の送信時間インタバルの期間が、前記第１の送信時間インタバルの期間の整数倍である、方法。
【請求項４】
請求項１に記載の方法であって、
前記第２のフレームの期間が、前記第１のフレームの期間の整数倍である、方法。
【請求項５】
請求項１に記載の方法であって、
前記第１のデータフレームが複数のスロットを含み、各スロットが前記第１の送信時間インタバルを有し、
前記複数のスロットの各スロットの時間における第１の記号が、パイロット信号を含む、方法。
【請求項６】
請求項１に記載の方法であって、
前記第１のデータフレームが複数のスロットを含み、各スロットが、前記第１の送信時間インタバルと、それぞれの複数の記号とを有し、
単一ユーザーのためのデータを有するトランスポートブロックが、前記複数のスロットの或るスロットの連続する記号にマッピングされる、方法。
【請求項７】
請求項６に記載の方法であって、
前記連続する記号が、異なるそれぞれの割当てサイズを含む、方法。
【請求項８】
請求項１に記載の方法であって、
前記第１のデータフレームが複数のスロットを含み、各スロットが、前記第１の送信時間インタバルと、それぞれの複数の記号とを有し、
各記号の第１の部分が半永続的割当てであり、各記号の第２の部分が動的割当てである、方法。
【請求項９】
請求項８に記載の方法であって、
前記半永続的割当てが、物理的データ共有チャネル（ＰＤＳＣＨ）において専用メッセージを介して通信される、方法。
【請求項１０】
請求項１に記載の方法であって、
前記マクロセルサイトからの前記ワイヤレスバックホールリンクを通じて、前記第１のデータフレームにより、第１の時間において前記第１のワイヤレストランシーバと通信することと、
前記マクロセルサイトからの前記ワイヤレスバックホールリンクを通じて、前記第１のデータフレームと同期して、前記第２の送信時間インタバルを有する第３のデータフレームにより、前記第１の時間において前記第２のワイヤレストランシーバと通信することと、
を更に含む、方法。
【請求項１１】
請求項１０に記載の方法であって、
前記第１のデータフレームにより通信することが、アップリンクとダウンリンクとの一方であり、前記第１のデータフレームと同期して前記第２のワイヤレストランシーバと通信することが、アップリンクとダウンリンクとの前記一方である、方法。
【請求項１２】
請求項１０に記載の方法であって、
前記第１及び第３のデータフレームが、同じ周波数リソースを用いる、方法。
【請求項１３】
請求項１に記載の方法であって、
前記第１のデータフレームと前記第２のデータフレームとが同時に通信される、方法。
【請求項１４】
ワイヤレス帯域幅内で通信する方法であって、
マイクロセルサイトにおいてトランスミッタにより、前記マイクロセルサイトからのワイヤレスバックホールリンクを通じて、アップリンクとダウンリンクとの一方により、前記ワイヤレス帯域幅の第１の周波数リソースを用いて第１の時間において第１の送信時間インタバルを有する第１のデータフレームにより、第１のワイヤレストランシーバと通信することと、
前記マイクロセルサイトにおいて前記トランスミッタにより、前記マイクロセルサイトからのワイヤレスＬＴＥリンクを通じて、アップリンクとダウンリンクとの前記一方により、前記ワイヤレス帯域幅の第２の周波数リソースを用いて前記第１の時間において第２の送信時間インタバルを有する第２のデータフレームにより、第２のワイヤレストランシーバと通信することと、
を含む、方法。
【請求項１５】
請求項１４に記載の方法であって、
前記第１のデータフレームと前記第２のデータフレームとが同時に通信される、方法。
【請求項１６】
ワイヤレス通信システムを動作させる方法であって、
ワイヤレスバックホールリンクを通じて、アップリンクとダウンリンクとの一方により、第１の送信時間インタバルを有する第１のデータフレームで第１のワイヤレストランシーバのトランスミッタにより第２のワイヤレストランシーバと通信することと、
ワイヤレスＬＴＥリンクを通じて、前記第１のワイヤレストランシーバの前記トランスミッタにより、前記第１の送信時間インタバルとは異なる第２の送信時間インタバルを有する第２のデータフレームでアップリンクとダウンリンクとの前記一方により第３のワイヤレストランシーバとデータを通信することと、
を含み、
前記第１及び第２のデータフレームが同じキャリア周波数を用いる、方法。
【請求項１７】
請求項１６に記載の方法であって、
前記第２の送信時間インタバルの期間が、前記第１の送信時間インタバルの期間の整数倍である、方法。
【請求項１８】
請求項１６に記載の方法であって、
前記第２のフレームの期間が、前記第１のフレームの期間の整数倍である、方法。
【請求項１９】
請求項１６に記載の方法であって、
前記第１のデータフレームが複数のスロットを含み、各スロットが前記第１の送信時間インタバルを有し、
前記複数のスロットの各スロットの時間における第１の記号が、パイロット信号を含む、方法。
【請求項２０】
請求項１６に記載の方法であって、
前記第１のデータフレームが複数のスロットを含み、各スロットが、前記第１の送信時間インタバルと、それぞれの複数の記号とを有し、
単一ユーザーのためのデータを有するトランスポートブロックが、前記複数のスロットの或るスロットの連続する記号にマッピングされる、方法。
【請求項２１】
請求項１６に記載の方法であって、
前記第１のデータフレームにより、第１の時間に前記第２のワイヤレストランシーバと通信することと、
前記第２の送信時間インタバルを有する第３のデータフレームにより、アップリンクとダウンリンクとの前記一方により、前記第１の時間において前記第３のワイヤレストランシーバと通信することと、
を更に含む、方法。
【請求項２２】
請求項２１に記載の方法であって、
前記第１のデータフレームにより通信することが、前記第３のデータフレームにより通信することと同期される、方法。
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
基地局から発見信号を送信するための方法であって、
送信のために前記基地局においてビーコンを符号化するステップであって、前記ビーコンが、免許不要のスペクトル基地局におけるロングタームエボリューション(LTE)またはLTEアドバンストである前記基地局に関連付けられ、前記符号化されたビーコンは、前記基地局においてコロケートされたWi-Fi無線によって生成され、前記基地局の無線アクセス技術(RAT)タイプを示す予約フィールドを含む、符号化するステップと、
前記符号化されたビーコンを前記基地局から1つまたは複数の近隣ワイヤレスノードに送信するステップと
を含む、方法。
【請求項２】
前記予約フィールドが前記ビーコンのサービスセット識別子(SSID)フィールドである、請求項1に記載の方法。
【請求項３】
前記ビーコンの基本サービスセット識別子(BSSID)が、免許不要のスペクトル基地局における別のLTEまたはLTEアドバンストに関連付けられたビーコンによって共有署名として使用される、請求項1に記載の方法。
【請求項４】
前記ビーコンが低減された電力で送信される、請求項1に記載の方法。
【請求項５】
前記ビーコンと前記基地局のLTE発見信号との間で論理バインディングを確立するステップ
をさらに含む、請求項1に記載の方法。
【請求項６】
前記論理バインディングが、前記ビーコンおよび前記基地局の前記LTE発見信号内の同じ情報を暗号によって符号化することを含む、請求項5に記載の方法。
【請求項７】
前記発見信号が競合免除送信(CET)を含む、請求項5に記載の方法。
【請求項８】
基地局から発見信号を送信するための装置であって、
送信のために前記基地局においてビーコンを符号化するための手段であって、前記ビーコンが、免許不要のスペクトル基地局におけるロングタームエボリューション(LTE)またはLTEアドバンストである前記基地局に関連付けられ、前記符号化されたビーコンは、前記基地局においてコロケートされたWi-Fi無線によって生成され、前記符号化されたビーコンは、前記基地局の無線アクセス技術(RAT)タイプを示す予約フィールドを含む、符号化するための手段と、
前記符号化されたビーコンを前記基地局から1つまたは複数の近隣ワイヤレスノードに送信するための手段と
を備える、装置。
【請求項９】
前記予約フィールドが前記ビーコンのサービスセット識別子(SSID)フィールドである、請求項8に記載の装置。
【請求項１０】
前記ビーコンの基本サービスセット識別子(BSSID)が、免許不要のスペクトル基地局における別のLTEまたはLTEアドバンストに関連付けられたビーコンによって共有署名として使用される、請求項9に記載の装置。
【請求項１１】
前記ビーコンが低減された電力で送信される、請求項8に記載の装置。
【請求項１２】
前記ビーコンと前記基地局のLTE発見信号との間で論理バインディングを確立するための手段
をさらに備える、請求項8に記載の装置。
【請求項１３】
前記発見信号が競合免除送信(CET)を含む、請求項12に記載の装置。
【請求項１４】
基地局から発見信号を送信するためのコンピュータ実行可能コードを記憶したコンピュータ可読記憶媒体であって、前記コンピュータ実行可能コードは、
送信のために前記基地局においてビーコンを符号化するためのコードであって、前記ビーコンが、免許不要のスペクトル基地局におけるロングタームエボリューション(LTE)またはLTEアドバンストである前記基地局に関連付けられ、前記符号化されたビーコンは、前記基地局においてコロケートされたWi-Fi無線によって生成され、前記基地局の無線アクセス技術(RAT)タイプを示す予約フィールドを含む、符号化するためのコードと、
前記符号化されたビーコンを前記基地局から1つまたは複数の近隣ワイヤレスノードに送信するためのコードと
を備える、コンピュータ可読記憶媒体。
【請求項１５】
前記予約フィールドが前記ビーコンのサービスセット識別子(SSID)フィールドである、請求項14に記載のコンピュータ可読記憶媒体。
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
前記ＵＥの中継ステータスを備えるメッセージを送信すること、前記中継ステータスは、前記ＵＥが基地局と少なくとも１つのデバイスツーデバイス（Ｄ２Ｄ）宛先との間の中継ノードとして機能することを意図するかどうかを示し、前記メッセージは、前記ＵＥが前記中継ノードとして機能することを意図する前記少なくとも１つのＤ２Ｄ宛先を示す、と、
前記ＵＥの前記中継ステータスに基づいてダウンリンク制御情報（ＤＣＩ）メッセージを受信すること、前記ＤＣＩメッセージは、前記ＵＥの前記中継ステータスに基づいて前記ＵＥに割り振られたリソースを示す、と、
前記ＵＥの前記中継ステータスに基づいて前記ＵＥに割り振られた前記リソース上でデータを送信することと
を備える、方法。
【請求項２】
前記メッセージは、前記ＵＥがそれらと通信することを意図する複数のＤ２Ｄ宛先を示し、前記ＵＥが前記中継ノードとして機能することを意図する前記少なくとも１つのＤ２Ｄ宛先は、前記複数のＤ２Ｄ宛先のサブセットである、
請求項１に記載の方法。
【請求項３】
前記メッセージは、Ｄ２Ｄグループ識別子（ＩＤ）またはＵＥ  ＩＤのうちの１つまたは複数を含むことによって前記少なくとも１つのＤ２Ｄ宛先を示す、
請求項１に記載の方法。
【請求項４】
前記メッセージは、前記ＵＥと、前記ＵＥが前記中継ノードとして機能する前記少なくとも１つのＤ２Ｄ宛先中の１つまたは複数のＵＥとの間の接続に関連付けられたリンク品質を含む、
請求項１に記載の方法。
【請求項５】
前記メッセージは、前記少なくとも１つのＤ２Ｄ宛先とのＤ２Ｄ通信を実行するという意図を示す、
請求項１に記載の方法。
【請求項６】
前記メッセージは、バッファステータス報告とＤ２Ｄグループインデックスとを含み、前記Ｄ２Ｄグループインデックスは、Ｄ２Ｄグループ識別子に関連付けられ、前記ＵＥによって送信された直接通信インジケーションメッセージ中に含まれる前記Ｄ２Ｄグループ識別子の位置に対応し、前記Ｄ２Ｄグループ識別子は、前記ＵＥが前記中継ノードとして機能することを意図するＤ２Ｄグループに関連付けられる、
請求項１に記載の方法。
【請求項７】
前記基地局への送信のために前記少なくとも１つのＤ２Ｄ宛先から前記データを受信すること、または
前記少なくとも１つのＤ２Ｄ宛先への送信のために前記基地局から前記データを受信すること
をさらに備える、請求項１に記載の方法。
【請求項８】
ワイヤレス通信のための装置であって、
前記装置の中継ステータスを備えるメッセージを送信するための手段、前記中継ステータスは、前記装置が基地局と少なくとも１つのデバイスツーデバイス（Ｄ２Ｄ）宛先との間の中継ノードとして機能することを意図するかどうかを示し、前記メッセージは、前記装置が前記中継ノードとして機能することを意図する前記少なくとも１つのＤ２Ｄ宛先を示す、と、
前記装置の前記中継ステータスに基づいてダウンリンク制御情報（ＤＣＩ）メッセージを受信するための手段、前記ＤＣＩメッセージは、前記装置の前記中継ステータスに基づいて前記装置に割り振られたリソースを示す、と、
前記装置の前記中継ステータスに基づいて前記装置に割り振られた前記リソース上でデータを送信するための手段と
を備える、装置。
【請求項９】
前記メッセージは、前記装置がそれらと通信することを意図する複数のＤ２Ｄ宛先を示し、前記装置が前記中継ノードとして機能することを意図する前記少なくとも１つのＤ２Ｄ宛先は、前記複数のＤ２Ｄ宛先のサブセットである、
請求項８に記載の装置。
【請求項１０】
前記メッセージは、Ｄ２Ｄグループ識別子（ＩＤ）またはユーザ機器ＩＤのうちの１つまたは複数を含むことによって前記少なくとも１つのＤ２Ｄ宛先を示す、
請求項８に記載の装置。
【請求項１１】
前記メッセージは、前記装置と、前記装置が前記中継ノードとして機能する前記少なくとも１つのＤ２Ｄ宛先中の１つまたは複数のユーザ機器との間の接続に関連付けられたリンク品質を含む、
請求項８に記載の装置。
【請求項１２】
前記メッセージは、前記少なくとも１つのＤ２Ｄ宛先とのＤ２Ｄ通信を実行するという意図を示す、
請求項８に記載の装置。
【請求項１３】
前記メッセージは、バッファステータス報告とＤ２Ｄグループインデックスとを含み、前記Ｄ２Ｄグループインデックスは、Ｄ２Ｄグループ識別子に関連付けられ、前記装置によって送信された直接通信インジケーションメッセージ中に含まれる前記Ｄ２Ｄグループ識別子の位置に対応し、前記Ｄ２Ｄグループ識別子は、前記装置が前記中継ノードとして機能することを意図するＤ２Ｄグループに関連付けられる、
請求項８に記載の装置。
【請求項１４】
前記基地局への送信のために前記少なくとも１つのＤ２Ｄ宛先から前記データを受信するための手段をさらに備える、
請求項９に記載の装置。
【請求項１５】
コンピュータ上で実行されると、請求項１乃至７のいずれか１項に従う方法を実行するための命令を備える、コンピュータプログラム。
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
ビデオデータをコーディングするための方法であって、
現在コーディングツリーユニット(CTU)用の適応ループフィルタ処理(ALF)情報を、(i)前記現在CTUの1つもしくは複数の空間ネイバーCTUまたは(ii)前記現在CTUの1つもしくは複数の時間ネイバーCTUのうちの1つまたは複数から取得するステップと、
前記現在CTU用の候補リストを形成するステップであって、前記候補リストが複数の候補エントリを含み、前記候補エントリの各々が前記取得されたALF情報に少なくとも部分的に基づく、ステップと、
前記候補リストからの候補に関連するALF情報を使用して、前記現在CTUにフィルタ処理演算を実行するステップと
を備える、方法。
【請求項２】
前記ALF情報がALF係数または分類メトリックへのALFフィルタのマッピングを備える、請求項1に記載の方法。
【請求項３】
前記ビデオデータをコーディングする方法が前記ビデオデータを復号する方法を備え、前記方法が、
前記候補リストからの前記候補に関連するインデックスを備えるシンタックス要素を受信するステップと、
前記候補リストからの前記候補に関連する前記ALF情報を使用して、前記現在CTUに前記フィルタ処理演算を実行するステップと
をさらに備える、請求項1に記載の方法。
【請求項４】
前記ビデオデータをコーディングする方法が前記ビデオデータを符号化する方法を備え、前記方法が、
ビデオデータの符号化ビットストリームに含めるために、前記候補リストからの前記候補に関連するインデックスを備えるシンタックス要素を生成するステップ
をさらに備える、請求項1に記載の方法。
【請求項５】
前記ビデオデータをコーディングする方法が前記ビデオデータを復号する方法を備え、前記方法が、
前記候補リストからの前記候補に関連するインデックスを備えるシンタックス要素を受信するステップと、
差分情報を受信するステップと、
新たなALF情報を決定するために、前記候補に関連する前記ALF情報に前記差分情報を追加するステップと、
前記新たなALF情報を使用して、前記現在CTUに前記フィルタ処理演算を実行するステップと
をさらに備える、請求項1に記載の方法。
【請求項６】
前記ビデオデータをコーディングする方法が前記ビデオデータを符号化する方法を備え、前記方法が、
新たなALF情報を決定するステップと、
ビデオデータの符号化ビットストリームに含めるために、前記候補リストから前記候補に関連するインデックスを備えるシンタックス要素を生成するステップと、
前記ビデオデータの符号化ビットストリームに含めるために、前記新たなALF情報と前記候補に関連する前記ALF情報との間の差分を識別する差分情報を生成するステップと
をさらに備える、請求項1に記載の方法。
【請求項７】
前記ALFフィルタ情報が複数のALFフィルタを備え、前記方法が、
1つまたは複数の分類メトリックに基づいて前記複数のALFフィルタの中からALFフィルタを選択するステップと、
前記選択されたALFフィルタを使用して前記CTUの1つまたは複数のピクセルにフィルタ処理演算を実行するステップと
をさらに備える、請求項1に記載の方法。
【請求項８】
前記1つまたは複数の分類メトリックが、
アクティビティメトリックおよび方向メトリック、または
前記1つもしくは複数のピクセルを備えるCUのサイズ、前記ピクセルを備える前記CUのコーディングモード、前記1つもしくは複数のピクセルに対応する変換ユニットのサイズ、もしくは前記1つもしくは複数のピクセルに対応する変換ユニットのタイプのうちの1つまたは複数
を備える、請求項7に記載の方法。
【請求項９】
前記選択されたALFフィルタを使用して前記CTUの前記1つまたは複数のピクセルに前記フィルタ処理演算を実行することによって、フィルタ処理された画像を生成するステップと、
前記フィルタ処理された画像を出力するステップと
をさらに備える、請求項7に記載の方法。
【請求項１０】
前記コーディングするための方法が符号化動作の復号ループの一部として実行され、前記方法が、
前記選択されたALFフィルタを使用して前記CTUの前記1つまたは複数のピクセルに前記フィルタ処理演算を実行することによって、フィルタ処理された画像を生成するステップと、
前記フィルタ処理された画像を復号ピクチャバッファの中に記憶するステップと
をさらに備える、請求項5に記載の方法。
【請求項１１】
前記方法がワイヤレス通信デバイスによって実行され、前記ワイヤレス通信デバイスが、
符号化ビデオデータを受信するように構成される受信機と、
前記符号化ビデオデータを処理するための命令を実行するように構成されるプロセッサと
を備える、請求項1に記載の方法。
【請求項１２】
前記方法がワイヤレス通信デバイスによって実行され、前記ワイヤレス通信デバイスが、
符号化ビデオデータを送信するように構成された送信機と、
前記符号化ビデオデータを処理するための命令を実行するように構成されるプロセッサと
を備える、請求項1に記載の方法。
【請求項１３】
前記ワイヤレス通信デバイスがセルラー電話を備え、前記符号化ビデオデータがセルラー通信規格に従って変調される、請求項11または12に記載の方法。
【請求項１４】
ビデオデータをコーディングするためのデバイスであって、
現在コーディングツリーユニット(CTU)用の適応ループフィルタ処理(ALF)情報を、(i)前記現在CTUの1つもしくは複数の空間ネイバーCTUまたは(ii)前記現在CTUの1つもしくは複数の時間ネイバーCTUのうちの1つまたは複数から取得するための手段と、
前記現在CTU用の候補リストを形成するための手段であって、前記候補リストが複数の候補エントリを含み、前記候補エントリの各々が前記取得されたALF情報に少なくとも部分的に基づく、手段と、
前記候補リストからの候補に関連するALF情報を使用して、前記現在CTUにフィルタ処理演算を実行するための手段と
を備える、デバイス。
【請求項１５】
1つまたは複数のプロセッサによって実行されたとき、前記1つまたは複数のプロセッサに、請求項1から13のいずれか一項に記載の方法を実行させる命令を記憶した、非一時的コンピュータ可読記憶媒体。
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
ビデオデータを符号化する方法であって、前記方法が、
サイズを有するビデオデータのブロックを受信することと、
ビデオデータの前記ブロックの前記サイズを決定することと、
を備え、かつ、
最大変換ユニットのサイズより小さいか、または３２×３２−１である最大ランレングス値について、
ビデオデータの前記ブロックをパレットモード符号化するとき、ビデオデータの前記ブロックについてのランレングス値を前記最大ランレングス値に制限すること、または、
ビデオデータの前記ブロックについてのランレングス値が前記最大ランレングス値に制限されない場合、ビデオデータの前記ブロックの前記決定されたサイズが前記最大変換ユニットの前記サイズよりも大きいときに、ビデオデータの前記ブロックのためのパレットモード符号化を無効化すること、
のうちの１つを備える、方法。
【請求項２】
前記最大変換ユニットの前記サイズが３２×３２である、請求項１に記載の方法。
【請求項３】
ビデオデータを符号化するための装置であって、前記装置が、
サイズを有するビデオデータのブロックを受信するための手段と、
ビデオデータの前記ブロックの前記サイズを決定するための手段と、
を備え、かつ、
最大変換ユニットのサイズより小さいか、または３２×３２−１である最大ランレングス値について、
ビデオデータの前記ブロックをパレットモード符号化するとき、ビデオデータの前記ブロックについてのランレングス値を前記最大ランレングス値に制限すること、または、
ビデオデータの前記ブロックについてのランレングス値が前記最大ランレングス値に制限されない場合、ビデオデータの前記ブロックの前記決定されたサイズが前記最大変換ユニットの前記サイズよりも大きいときに、ビデオデータの前記ブロックのためのパレットモード符号化を無効化すること
のうちの１つを行うための手段、
を備える、装置。
【請求項４】
前記最大変換ユニットの前記サイズが３２×３２である、請求項２７に記載の装置。
【請求項５】
実行されたとき、１つまたは複数のプロセッサに、
サイズを有するビデオデータのブロックを受信することと、
ビデオデータの前記ブロックの前記サイズを決定することと、
を行わせる命令であって、かつ、
最大変換ユニットのサイズより小さいか、または３２×３２−１である最大ランレングス値について、
ビデオデータの前記ブロックをパレットモード符号化するとき、ビデオデータの前記ブロックについてのランレングス値を前記最大ランレングス値に制限すること、または、
ビデオデータの前記ブロックについてのランレングス値が前記最大ランレングス値に制限されない場合、ビデオデータの前記ブロックの前記決定されたサイズが前記最大変換ユニットの前記サイズよりも大きいときに、ビデオデータの前記ブロックのためのパレットモード符号化を無効化すること、
のうちの１つを行わせる命令を記憶した、非一時的コンピュータ可読記憶媒体。
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
ＲＦ信号を増幅するように構成された低雑音増幅器と、
前記低雑音増幅器の第１の出力端子に結合された第１の端子を有する第１の共振スイッチング回路、前記第１の共振スイッチング回路の第２の端子は、前記回路の出力端子である、と、
前記低雑音増幅器の前記第１の出力端子に結合された第１の端子を有し、グラウンドに結合された第２の端子を有する第２の共振スイッチング回路と、
前記第１の共振スイッチング回路の第２の端子に結合された第１の端子を有し、グラウンドに結合された第２の端子を有する第３の共振スイッチング回路と、
を備え、
ここにおいて、前記共振スイッチング回路は、スイッチドキャパシタ回路を備え、
前記第１の共振スイッチング回路は、前記ＲＦ信号のキャリア周波数で低いインピーダンスを生成し、第１の周波数で高いインピーダンスを生成するように構成され、前記第２の共振スイッチング回路と前記第３の共振スイッチング回路は、前記ＲＦ信号の前記キャリア周波数で高いインピーダンスを生成し、前記第１の周波数で低いインピーダンスを生成するように構成され、
前記第１の共振スイッチング回路は、前記ＲＦ信号の前記キャリア周波数で前記低いインピーダンスを生成し、前記第１の周波数で前記高いインピーダンスを生成するために前記第１の周波数で駆動され、前記第２の共振スイッチング回路と前記第３の共振スイッチング回路は、前記ＲＦ信号の前記キャリア周波数で前記高いインピーダンスを生成し、前記第１の周波数で前記低いインピーダンスを生成するために前記キャリア周波数で駆動される、回路。
【請求項２】
前記第１の共振スイッチング回路は、第１の局部発振器に結合され、前記第２の共振スイッチング回路と前記第３の共振スイッチング回路は、第２の局部発振器に結合され、前記第１の局部発振器と前記第２の局部発振器は、同じ集積回路上にある、請求項１に記載の回路。
【請求項３】
前記低雑音増幅器は、前記第２の共振スイッチング回路の第２の端子に結合された第２の出力端子を備え、前記回路は、前記低雑音増幅器の前記第２の出力端子に結合された第１の端子と、前記第３の共振スイッチング回路の第２の端子に結合された第２の端子とを有する第４の共振スイッチング回路をさらに備える、請求項１に記載の回路。
【請求項４】
前記第１の共振スイッチング回路と前記第４の共振スイッチング回路は、前記第１の周波数で駆動され、前記第２の共振スイッチング回路と前記第３の共振スイッチング回路は、前記キャリア周波数で駆動される、請求項３に記載の回路。
【請求項５】
前記第１の周波数は、前記キャリア周波数に隣接している、請求項１に記載の回路。
【請求項６】
前記第１の周波数は、ジャマー信号の周波数に整合する、請求項１に記載の回路。
【請求項７】
前記低雑音増幅器と同じ回路基板上の局部発振器をさらに備え、
前記ジャマー信号は、前記局部発振器により発生される、請求項６に記載の回路。
【請求項８】
第１の共振スイッチング回路の第２の端子にフィルタされた信号を生成するために前記第１の共振スイッチング回路の第１の端子上の、低雑音増幅器から信号を受信することと、ここにおいて、前記信号は、第１の周波数と第２の周波数を備え、前記低雑音増幅器は、ＲＦ信号を増幅する、
第２の共振スイッチング回路の第１の端子上で前記信号を受信することと、
第３の共振スイッチング回路の第１の端子上で前記フィルタされた信号を受信することと、
を備え、
ここにおいて、前記第３の共振スイッチング回路の前記第１の端子は、前記第１の共振スイッチング回路の前記第２の端子に結合され、前記第１の共振スイッチング回路は、前記低雑音増幅器の第１の出力端子に結合された第１の端子と、グラウンドに結合された第２の端子を有し、前記第２の共振スイッチング回路は、前記低雑音増幅器の前記第１の出力端子に結合された第１の端子を有し、前記第２の共振スイッチング回路の第２の端子は、前記回路の出力端子であり、前記第３の共振スイッチング回路は、前記第１の共振スイッチング回路の第２の端子に結合された第１の端子と、グラウンドに結合された第２の端子を有し、
前記共振スイッチング回路は、スイッチドキャパシタ回路を備え、
前記第１の共振スイッチング回路は、前記第１の周波数で低いインピーダンスを生成し、前記第２の周波数で高いインピーダンスを生成するように構成され、前記第２の共振スイッチング回路と前記第３の共振スイッチング回路は、前記第１の周波数で高いインピーダンスを生成し、前記第２の周波数で低いインピーダンスを生成するように構成され、
前記第１の共振スイッチング回路は、前記ＲＦ信号の前記キャリア周波数で前記低いインピーダンスを生成し、前記第１の周波数で前記高いインピーダンスを生成するために前記第１の周波数で駆動され、前記第２の共振スイッチング回路と前記第３の共振スイッチング回路は、前記ＲＦ信号の前記キャリア周波数で前記高いインピーダンスを生成し、前記第１の周波数で前記低いインピーダンスを生成するために前記キャリア周波数で駆動される、方法。
【請求項９】
前記信号および前記フィルタされた信号は、差動信号であり、前記方法は、前記第３の共振スイッチング回路の第２の端子と第４の共振スイッチング回路の第２の端子上の前記フィルタされた信号の差動成分を生成するために、前記第２の共振スイッチング回路の第２の端子上と前記第４の共振スイッチング回路の第１の端子上の前記信号の差動成分を受信することをさらに備える、請求項８に記載の方法。
【請求項１０】
前記第２の周波数で前記第１の共振スイッチング回路を駆動し、前記第１の周波数で前記第２の共振スイッチング回路と前記第３の共振スイッチング回路を駆動することをさらに備える、請求項８に記載の方法。
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
１つ以上の画像を表現する符号化ビットストリームをカプセル化する方法であって、前記カプセル化ビットストリームはデータ部分およびメタデータ部分を含み、前記方法は、
単一画像のサブ画像または画像を表現する前記データ部分の一部を識別する画像アイテム情報を取得するステップと、
１つ以上の画像に関する表示パラメータおよび／または変換オペレータを包含するパラメータを含む、画像記述情報を取得するステップと、
前記ビットストリームと前記取得された情報とを、カプセル化データファイルとして出力するステップと、
を有し、
前記画像記述情報は、前記メタデータ部分に格納される、
ことを特徴とする方法。
【請求項２】
前記表示パラメータは、画像の位置およびサイズ、画素のアスペクト比、色情報、のうちの１つまたはいくつかのパラメータを含み、
前記変換オペレータは、クロッピング、回転、のうちの１つまたはいくつかの変換オペレータを含む、
ことを特徴とする請求項１に記載の方法。
【請求項３】
前記画像記述情報中に含まれる各パラメータは、型情報、および／または画像アイテム情報を前記パラメータにリンクするため使われる識別子、
を含む追加データに関連付けられることを特徴とする請求項１又は２に記載の方法。
【請求項４】
前記メタデータ部分は、ＩＳＯＢＭＦＦの「ｍｅｔａ」データボックス中に含まれることを特徴とする請求項１乃至３のいずれか一項に記載の方法。
【請求項５】
前記画像記述情報中に含まれる各変換オペレータは、被変換アイテムを前記変換オペレータにリンクするために使われる識別子を含む追加データに関連付けられることを特徴とする請求項１乃至４のいずれか一項に記載の方法。
【請求項６】
前記メタデータ部分中に格納されたボックスは、少なくとも１つの変換オペレータおよび／または少なくとも１つの表示パラメータを含むことを特徴とする請求項１乃至５のいずれか一項に記載の方法。
【請求項７】
１つ以上の画像アイテムの前記合成によって導出画像アイテムを得るための導出画像の定義を設けるステップをさらに含み、前記導出画像の定義は前記データ部分に格納され、前記導出画像アイテムは前記メタデータ部分に格納されることを特徴とする請求項１乃至６のいずれか一項に記載の方法。
【請求項８】
データ部分とメタデータ部分とを含むカプセル化データファイルを処理する方法であって、前記データ部分中に、１つ以上の画像に対応する符号化ビットストリームを包含し、前記メタデータ部分中に、１つ以上の画像またはサブ画像に関する表示パラメータおよび／または変換オペレータを包含するパラメータ群と、画像またはサブ画像記述情報とを包含する、前記データ部分と前記メタデータ部分とを含むカプセル化データファイルを処理する方法であって、前記方法は、
対象の画像またはサブ画像を選択するステップと、
前記参照された画像またはサブ画像記述情報から、前記メタデータ部分からの関連する表示パラメータおよび／または変換オペレータを識別するステップと、
変換オペレータが識別された場合には、前記画像またはサブ画像に前記変換を適用し、前記表示パラメータに従って、最終的に変換された前記画像またはサブ画像を表示するステップと、
を含むことを特徴とする方法。
【請求項９】
前記方法が、前記識別するステップの前に、前記パラメータ群中に含まれる追加データを読み取るステップをさらに含み、前記追加データは、型情報、および／または、画像またはサブ画像アイテム情報を前記パラメータにリンクするために使われる識別子を含むことを特徴とする請求項８に記載の方法。
【請求項１０】
請求項１乃至７のいずれか一項に記載の方法を実装するように構成された、１つ以上の画像を表現する符号化ビットストリームをカプセル化するためのサーバデバイス。
【請求項１１】
請求項８または９に記載の方法を実装するよう構成された、１つ以上の画像を表現する符号化ビットストリームを処理するためのクライアントデバイス。
【請求項１２】
コンピュータ上で実行されたとき、そのコンピュータに請求項１乃至９のいずれか一項に記載の前記方法を遂行させる命令を含む、コンピュータプログラム。
【手続補正２】
【補正対象書類名】明細書
【補正対象項目名】００２６
【補正方法】変更
【補正の内容】
【００２６】
本発明の第一態様によれば、１つ以上の画像を表現する符号化ビットストリームをカプセル化する方法であって、前記カプセル化ビットストリームはデータ部分およびメタデータ部分を含み、前記方法は、単一画像のサブ画像または画像を表現する前記データ部分の一部を識別する画像アイテム情報を取得するステップと、１つ以上の画像に関する表示パラメータおよび／または変換オペレータを包含するパラメータを含む、画像記述情報を取得するステップと、前記ビットストリームと前記取得された情報とを、カプセル化データファイルとして出力するステップとを有し、前記画像記述情報は、前記メタデータ部分に格納されることを特徴とする。
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
レポートの対処されていない事象に対処するよう臨床医をガイドするための、ガイド付き構造化レポート作成装置であって、前記装置は、
生理学的情報を表示するよう構成された表示装置、及び臨床医から１つ以上の入力を受信するよう構成された入力部、を含むワークステーションと、
前記ワークステーションに接続された１つ以上のコンピュータプロセッサと、
を有し、前記１つ以上のコンピュータプロセッサは、
生理学的情報を受信し、
前記表示装置において一次レポートの表示を生成し、
前記一次レポートに含めるため前記臨床医により選択された前記入力部からの所見コードを受信及び表示し、
前記一次レポートに潜在的に含めるための提案される所見コードを生成及び表示し、
前記臨床医により選択された所見コード及び前記生理学的情報の少なくとも一方に基づいて前記表示装置において表示された所見コードを更新する
よう構成された、装置。
【請求項２】
所見コードを保存するよう構成された少なくとも１つのメモリを更に含む、請求項１に記載の装置。
【請求項３】
前記表示は、
構造化レポート作成パネルと、
所見コード提案パネルと、
を含む、請求項１に記載の装置。
【請求項４】
前記所見コード提案パネルは、永続的な所見コード提案パネル及び一時的な所見コード提案パネルの一方を含む、請求項３に記載の装置。
【請求項５】
前記所見コード提案パネルは、
１つ以上の提案される所見コードと、
前記臨床医が前記提案される所見コードの１つ以上を選択するための前記１つ以上の提案される所見コードに対応する１つ以上の採用ボタンと、
を含む、請求項３に記載の装置。
【請求項６】
前記１つ以上の提案される所見コードは、コード要素とテキスト要素とを含む、請求項１に記載の装置。
【請求項７】
前記１つ以上の提案される所見コードは、二値ステートメント所見コード、複数選択所見コード、及び測定値所見コードの少なくとも１つを含む、請求項１に記載の装置。
【請求項８】
前記構造化レポート作成パネルは、
１つ以上の解剖学的サブメニューと、
１つ以上の事象的サブメニューと、
１つ以上のドロップダウンメニューと、
１つ以上の提案される所見生成ボタンと、
１つ以上の採用される所見コードと、
を有する、請求項３に記載の装置。
【請求項９】
前記１つ以上のプロセッサは、生理学的画像情報、患者記録、患者の所見コード、患者の構造化レポート、及び保存された所見コードパターンの少なくとも１つを含む生理学的情報を受信するよう構成された、請求項１に記載の装置。
【請求項１０】
前記プロセッサは、前記一次レポート及び前記一次レポートに含めるよう既に選択された所見コードにより対処された解剖学的領域に基づいて、前記提案される所見コードを生成するよう構成された、請求項２に記載の装置。
【請求項１１】
前記表示は更に、画像パネル及び文章レポートの少なくとも一方を有する、請求項３に記載の装置。
【請求項１２】
前記一次レポートは、１つ以上の解剖学的要約を含む構造化レポートであり、
前記解剖学的要約は、構造化レポート作成パネルから選択された所見コードのテキスト要素を含む、請求項１１に記載の装置。
【請求項１３】
患者レポートの対処されていない事象に対処するよう臨床医をガイドするための方法であって、前記方法は、
ワークステーションにおいて生理学的情報を受信するステップと、
１つ以上のプロセッサを用いて表示装置において一次レポートの表示を生成するステップと、
１つ以上のプロセッサを用いて前記臨床医が選択するための１つ以上の提案される所見コードを生成及び表示するステップと、
ユーザ入力部から前記提案される所見コードの１つ以上の臨床医の選択を受信し、前記選択された所見コードを前記一次レポートに組み込むステップと、
前記臨床医により選択された所見コード及び生理学的情報の１つ以上に基づいて、前記表示された所見コードを更新するステップと、
を有する方法。
【請求項１４】
前記提案される所見コードを生成するステップは、コード要素及びテキスト要素を生成するステップを含む、請求項１３に記載の方法。
【請求項１５】
前記１つ以上の提案される所見コードは、規則駆動型の実装及びデータ駆動型の実装の少なくとも一方により生成される、請求項１３に記載の方法。
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
分類器のオンライントレーニングの方法において、
前記方法は、
物体を受領することと、
前記オンライントレーニングの最中に観察される、前記物体の少なくとも１つの特徴ベクトルから、前記分類器のためのオフライントレーニングの最中に確立される第１の所定の決定境界までの距離を決定することと、
前記オンライントレーニングの最中に観察される１つ以上の肯定的な例に基づいて、決定ルールを更新することと、
将来物体を、前記更新された決定ルールに少なくとも部分的に基づいて、分類することとを含み、
前記決定ルールは、前記オンライントレーニングの最中に確立される第２の決定境界であり、
前記決定ルールを更新することは、前記物体の少なくとも１つの特徴ベクトルと前記第２の決定境界との間のマージンを減らすことを含む方法。
【請求項２】
関数は、観察される肯定的な例の数におよび／または前記オンライントレーニングの開始から観察される時間の量に少なくとも部分的にさらに基づいている請求項１記載の方法。
【請求項３】
前記物体は、指紋、虹彩および／または顔である請求項１記載の方法。
【請求項４】
前記決定ルールは、前記距離の、測定された平均におよび／または分散に少なくとも部分的に基づいている請求項１記載の方法。
【請求項５】
新規のデータに少なくとも部分的に基づいて、前記決定ルールを反復的に更新することをさらに含む請求項１記載の方法。
【請求項６】
条件の第１のセットに少なくとも部分的に基づいて、前記決定ルールに対する更新を停止することをさらに含む請求項５記載の方法。
【請求項７】
前記条件の第１のセットは、サンプルの数および／または時間の量を少なくとも備える請求項６記載の方法。
【請求項８】
条件の第２のセットに少なくとも部分的に基づいて、前記決定ルールに対する更新を開始することをさらに含む請求項６記載の方法。
【請求項９】
前記条件の第２のセットは、誤りの拒否率を備える請求項８記載の方法。
【請求項１０】
前記決定ルールに対する更新を開始することは、少なくとも１つの学習した値を、再設定すること、再使用することまたはバックアップすることを備える請求項８記載の方法。
【請求項１１】
前記決定ルールに対する更新を開始することは、前記条件の第１のセットを修正することを備える請求項８記載の方法。
【請求項１２】
誤りの拒否率、ＦＲＲ、を計算し、追跡すること、および、前記ＦＲＲに少なくとも部分的に基づいて、前記決定ルールをさらに更新すること、をさらに含む請求項１記載の方法。
【請求項１３】
関数は、複数の距離を追跡することをさらに備え、前記決定ルールは、前記複数の距離の統計に少なくとも部分的に基づいている請求項１記載の方法。
【請求項１４】
プログラムコードが記憶されている非一時的コンピュータ可読媒体において、
前記プログラムコードは、
プロセッサによって実行され、
物体を受領するためのプログラムコードと、
オンライントレーニングの最中に観察される、前記物体の少なくとも１つの特徴ベクトルから、分類器のためのオフライントレーニングの最中に確立される第１の所定の決定境界までの距離を決定するためのプログラムコードと、
前記オンライントレーニングの最中に観察される肯定的な例の数に少なくとも部分的に基づいて、決定ルールを更新するためのプログラムコードと、
将来物体を、前記更新された決定ルールに少なくとも部分的に基づいて、分類するためのプログラムコードとを含み、
前記決定ルールは、前記オンライントレーニングの最中に確立される第２の決定境界であり、
前記決定ルールを更新することは、前記物体の少なくとも１つの特徴ベクトルと前記第２の決定境界との間のマージンを減らすことを含む非一時的コンピュータ可読媒体。
【請求項１５】
分類器のオンライントレーニングのための装置であって、
前記装置は、
物体を受領する手段と、
前記オンライントレーニングの最中に観察される、前記物体の少なくとも１つの特徴ベクトルから、前記分類器のためのオフライントレーニングの最中に確立される第１の所定の決定境界までの距離を決定する手段と、
前記オンライントレーニングの最中に観察される１つ以上の肯定的な例に基づいて、決定ルールを更新する手段と、
将来物体を、前記更新された決定ルールに少なくとも部分的に基づいて、分類する手段とを具備し、
前記決定ルールは、前記オンライントレーニングの最中に確立される第２の決定境界であり、
前記決定ルールを更新することは、前記物体の少なくとも１つの特徴ベクトルと前記第２の決定境界との間のマージンを減らすことを含む装置。
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
コンピュータシステムに格納されているデータの１つ以上の更新をコンピュータシステムにおいて受信するステップと、
受信された前記更新に基づいて、コンピュータシステム内の１つ以上の多時間データ項目を更新するステップと、
第１クエリが前記更新された多時間データ項目に依存するという判断に基づいて、前記コンピュータシステム内で前記第１クエリを特定するステップと、
現在の時間に対応する多時間データを用いて、前記第１クエリの第１実行を行うステップと、
前記第１クエリの過去実行に対応する過去時間に対応する多時間データを用いて、前記第１クエリの第２実行を行うステップと、
前記第１クエリの前記第１実行の結果と前記第１クエリの前記第２実行の結果との差を決定するステップと、
前記差を所定の閾値と比較するステップと、
前記差が前記所定の閾値よりも大きいと判定した場合に、前記第１クエリに関連する第１データオブジェクトに対して第１変換処理を呼び出すステップとを含む、方法。
【請求項２】
前記第１変換処理は、HADOOPデータ処理クラスタの計算ノード内で実行されるデータ変換ループアプリケーションによって実行される、請求項１に記載の方法。
【請求項３】
前記第１変換処理は、機械学習プロセス、生データ処理の分類、サポートベクトルマシン、ナイーブベイズ分類器、神経ネットワーク、クラスタリング、関連ルール、決定木、単変量周期線形傾向、多変量状態推定技術、認知コンピューティング、ベイジアン信念ネットワーク、逆問題に対する解の最小二乗最適化または回帰、影響図、デンプスター・シェイファー理論、決定木、残存有効寿命の予後、スクリプト、計画、予定、ＢＰＥＬワークフロー、およびＢＰＭＮビジネスプロセスのうち、１つ以上を含む、請求項２に記載の方法。
【請求項４】
前記第１データオブジェクトに対する前記第１変換処理の結果に対応する第２データオブジェクトを格納するステップと、
前記第２データオブジェクトと、前記第１変換処理の過去の呼び出しによって生成され且つ前記第２データオブジェクトと同一タイプの異なるデータオブジェクトとの間の差を決定するステップと、
前記第２データオブジェクトと前記異なるデータオブジェクトとの間の前記差が第２所定の閾値よりも大きいという判定に基づいて、前記第２データオブジェクトに対して第２変換処理を呼び出すステップとを含む、請求項１に記載の方法。
【請求項５】
前記第１変換処理および第２変換処理は、連続データ変換ループアプリケーションの一部であり、
前記方法は、
前記コンピュータシステムに格納されている前記多時間データの１つ以上の追加更新を受信するステップと、
受信された前記追加更新に基づいて、一組の多時間データ項目を更新するステップと、
前記多時間データの前記追加更新を用いて、前記第１クエリの第３実行を行うステップと、
前記第１クエリの過去実行時間に対応する多時間データを用いて、前記第１クエリの第４実行を行うステップと、
前記第１クエリの前記第３実行の結果と前記第１クエリの前記第４実行の結果との間の差を決定するステップと、
前記差を前記所定の閾値と比較するステップと、
前記差が前記所定の閾値よりも大きいと判定した場合に、前記第１変換処理を再度呼び出すステップとをさらに含む、請求項４に記載の方法。
【請求項６】
前記更新された１つ以上の多時間データ項目は、各データ項目のトランザクション時間および有効時間を含む双時間データ項目である、請求項１〜５のいずれかに記載の方法。
【請求項７】
前記第１クエリを特定するステップは、前記コンピュータシステム内のフィルタテーブルにアクセスすることを含み、
前記フィルタテーブルは、異なる変換処理にそれぞれ対応する複数のクエリを含む、請求項１〜６のいずれかに記載の方法。
【請求項８】
前記第１クエリを特定するステップと、前記第１クエリの第１実行を行うステップと、前記第１クエリの第２実行を行うステップと、前記第１クエリの前記第１実行と前記第１クエリの第２実行との間の差を前記所定の閾値と比較するステップとは、前記１つ以上の多時間データ項目の更新として、第１トランザクションの外部で前記第１トランザクションと非同期的に実行され、
前記第１データオブジェクトに対する前記第１変換処理の前記呼び出しは、前記第１トランザクションの外部で前記第１トランザクションと非同期的に実行される、請求項１〜７のいずれかに記載の方法。
【請求項９】
１つ以上のプロセッサを含む処理ユニットと、
前記処理ユニットに連結され、前記処理ユニットによって読取可能であり、一連の命令セットを格納するメモリとを備え、前記命令は、前記処理ユニットによって実行される場合、前記処理ユニットに、以下のステップ、すなわち、
コンピュータシシステムに格納されているデータの１つ以上の更新を受信するステップと、
受信された前記更新に基づいて、コンピュータシステム内の１つ以上の多時間データ項目を更新するステップと、
第１クエリが前記更新された多時間データ項目に依存するという判断に基づいて、前記コンピュータシステム内で前記第１クエリを特定するステップと、
現在の時間に対応する多時間データを用いて、前記第１クエリの第１実行を行うステップと、
前記第１クエリの過去実行に対応する過去時間に対応する多時間データを用いて、前記第１クエリの第２実行を行うステップと、
前記第１クエリの前記第１実行の結果と前記第１クエリの前記第２実行の結果との差を決定するステップと、
前記差を所定の閾値と比較するステップと、
前記差が前記所定の閾値よりも大きいと判定した場合に、前記第１クエリに関連する第１データオブジェクトに対して第１変換処理を呼び出すステップとを実行させる、システム。
【請求項１０】
請求項１〜８のいずれかに記載の方法をコンピュータに実行させるためのプログラム。
【請求項１１】
請求項１０に記載のプログラムを格納したメモリと、
前記プログラムを実行するためのプロセッサとを備える、システム。